(57)【要約】【課題】給紙部において発生する振動による画質低下を防止し、高画質の画像を形成する画像形成装置を提供する。【解決手段】記録紙の後端が給紙部を離れるタイミングが画像形成部における画像形成期間又は転写期間から外れるようにする給紙タイミングの制御を、給紙搬送部の搬送路長を変更することにより行う。【選択図】図２
2008009235.tif 000002
【特許請求の範囲】
【請求項１】
画像形成部、給紙部、給紙搬送部及び転写装置を有し、前記給紙部から送り出された記録紙を前記給紙搬送部により前記画像形成部へと搬送し、前記画像形成部において形成されたトナー像を前記転写装置により記録紙に転写する画像形成装置において、
前記給紙搬送部の搬送路長が可変に形成されるとともに、前記画像形成部における画像形成と前記給紙部及び前記給紙搬送部における記録紙搬送との同期をとる制御手段を有し、該制御手段は、前記給紙部から記録紙の後端が離れる時間が前前記転写装置による転写期間を外れるように、前記給紙搬送部の前記搬送路長を変更することによるタイミング制御を行うことを特徴とする画像形成装置。
【請求項２】
画像形成部、給紙部、給紙搬送部及び転写装置を有し、前記給紙部から送り出された記録紙を前記給紙搬送部により前記画像形成部へと搬送し、前記画像形成部において形成されたトナー像を前記転写装置により記録紙に転写する画像形成装置において、
前記給紙搬送部の搬送路長が可変に形成されるとともに、前記画像形成部における画像形成と前記給紙部及び前記給紙搬送部における記録紙搬送との同期をとる制御手段を有し、該制御手段は、前記給紙部から記録紙の後端が離れる時間が前記画像形成部における画像形成期間を外れるように、前記給紙搬送部の前記搬送路長を変更することによるタイミング制御を行うことを特徴とする画像形成装置。
【請求項３】
高画質モード及び高効率モードを有し、前記制御手段は、前記高画質モードにおいては、前記給紙部から記録紙の後端が離れる時間が前前記転写装置による転写期間を外れるように、前記給紙搬送部の前記搬送路長を変更することによるタイミング制御を行い、
前記高効率モードにおいては、前記給紙部から記録紙の後端が離れる時間が前前記転写装置による転写期間を外れるか否かに無関係に前記搬送路長を最も短く設定することを特徴とする請求項１に記載の画像形成装置。
【請求項４】
高画質モード及び高効率モードを有し、前記制御手段は、前記高画質モードにおいては、前記給紙部から記録紙の後端が離れる時間が前前前記画像形成部における画像形成期間を外れるように、前記給紙搬送部の前記搬送路長を変更することによるタイミング制御を行い、
前記高効率モードにおいては、前記給紙部から記録紙の後端が離れる時間が前前前記画像形成部における画像形成期間を外れるか否かに無関係に前記搬送路長を最も短く設定することを特徴とする請求項２に記載の画像形成装置。
【請求項５】
前記制御手段は、記録紙サイズ情報に基づいて、前記搬送路長を変更することを特徴とする請求項１〜４のいずれか１項に記載の画像形成装置。
【請求項６】
前記給紙搬送部は搬送路長の異なる複数の給紙路を有し、前記搬送路長は、前記給紙路の選択により変更されることを特徴とする請求項１〜５のいずれか１項に記載の画像形成装置。
【請求項７】
前記給紙搬送部は搬送路を形成する変位可能なガイド部材を有し、前記搬送路長は、前記ガイド部材の変位により変更されることを特徴とする請求項１〜６のいずれか１項に記載の画像形成装置。
【請求項８】
前記給紙部は、記録紙を１枚に分離する分離手段を有し、前記給紙部から記録紙の後端が離れる前記時間は、前記分離手段から記録紙の後端が離れる時間であることを特徴とする請求項１〜７のいずれか１項に記載の画像形成装置。
【請求項９】
画像形成部、給紙部、レジストローラを有する給紙搬送部及び転写装置を備え、前記給紙部から送り出された記録紙を前記給紙搬送部により前記画像形成部へと搬送し、前記画像形成部において形成されたトナー像を前記転写装置により記録紙に転写する画像形成装置において、
前記給紙搬送部の搬送路長が可変に形成されるとともに、前記画像形成部における画像形成と前記給紙搬送部における記録紙搬送とを同期させる制御手段を有し、該制御手段は、記録紙サイズ情報に基づいて、前記レジストローラによる記録紙の搬送中に記録紙の後端が前記給紙部から離れることがないように前記給紙搬送部の前記搬送路長を変更することを特徴とする画像形成装置。
【請求項１０】
高画質モード及び高効率モードを有し、前記制御手段は、前記高画質モードにおいては、前記レジストローラによる記録紙の搬送中に記録紙の後端が前記給紙部から離れることがないように前記給紙搬送部の前記搬送路長を変更し、
前記高効率モードにおいては、前記搬送路長を最も短く設定することを特徴とする請求項９に記載の画像形成装置。
【請求項１１】
前記給紙搬送部は搬送路長の異なる複数の給紙路を有し、前記搬送路長は、前記給紙路の選択により変更されることを特徴とする請求項９又は請求項１０に記載の画像形成装置。
【請求項１２】
前記給紙搬送部は搬送路を形成する変位可能なガイド部材を有し、前記搬送路長は、前記ガイド部材の変位により変更されることを特徴とする請求項９又は請求項１０に記載の画像形成装置。
【請求項１３】
前記給紙部は、記録紙を１枚に分離する分離手段を有し、前記給紙部から記録紙の後端が離れる時間は、前記分離手段から記録紙の後端が離れる時間であることを特徴とする請求項９〜１２のいずれか１項に記載の画像形成装置。
【発明の詳細な説明】
【技術分野】
【０００１】
本発明は、画像形成装置に関し、特に、画像形成装置において問題とされている振動による画質の低下を防止する技術に関する。
【背景技術】
【０００２】
いわゆるデジタル画像形成装置では、ミクロンオーダーの画素単位で画像の書込が行われるために、振動による画質への影響が受けやすく、振動による画質低下を防止する技術が開発されている。
【０００３】
例えば、特許文献１では、露光装置の支持構造に防振動性能を持たせることが提案されている。
【０００４】
また、特許文献２では、画質低下の防止を目的とはしないが、給紙搬送部の搬送路長を変更可能にした画像形成装置が提案されている。
【特許文献１】特開２００２−２２９２９０号公報
【特許文献２】特開平５−３３０１７２号公報
【発明の開示】
【発明が解決しようとする課題】
【０００５】
特許文献１の技術では、振動は軽減されるが、完全に除去されることはないので、高画質の画像を形成する場合には、なお、濃度ムラ等の画質の低下があるという問題がある。
【０００６】
また、振動の影響で転写ずれ等が起こって発生する画質の低下が問題となるが、特許文献１ではこのような画質の低下を防止することができない。
【０００７】
特許文献２では、画像形成効率の向上を図ることができるが、特許文献２の技術は画質低下の防止にはならない。
【０００８】
本発明は、画像形成装置において、記録紙を画像形成部に供給する給紙部における振動が画質に大きく影響することに着目し、給紙部において発生する振動による画質の低下を防止し、高画質の画像を形成する画像形成装置を提供することを目的とする。
【課題を解決するための手段】
【０００９】
前記目的は下記の発明により達成される。
１．
画像形成部、給紙部、給紙搬送部及び転写装置を有し、前記給紙部から送り出された記録紙を前記給紙搬送部により前記画像形成部へと搬送し、前記画像形成部において形成されたトナー像を前記転写装置により記録紙に転写する画像形成装置において、
前記給紙搬送部の搬送路長が可変に形成されるとともに、前記画像形成部における画像形成と前記給紙部及び前記給紙搬送部における記録紙搬送との同期をとる制御手段を有し、該制御手段は、前記給紙部から記録紙の後端が離れる時間が前前記転写装置による転写期間を外れるように、前記給紙搬送部の前記搬送路長を変更することによるタイミング制御を行うことを特徴とする画像形成装置。
２．
画像形成部、給紙部、給紙搬送部及び転写装置を有し、前記給紙部から送り出された記録紙を前記給紙搬送部により前記画像形成部へと搬送し、前記画像形成部において形成されたトナー像を前記転写装置により記録紙に転写する画像形成装置において、
前記給紙搬送部の搬送路長が可変に形成されるとともに、前記画像形成部における画像形成と前記給紙部及び前記給紙搬送部における記録紙搬送との同期をとる制御手段を有し、該制御手段は、前記給紙部から記録紙の後端が離れる時間が前記画像形成部における画像形成期間を外れるように、前記給紙搬送部の前記搬送路長を変更することによるタイミング制御を行うことを特徴とする画像形成装置。
３．
高画質モード及び高効率モードを有し、前記制御手段は、前記高画質モードにおいては、前記給紙部から記録紙の後端が離れる時間が前前記転写装置による転写期間を外れるように、前記給紙搬送部の前記搬送路長を変更することによるタイミング制御を行い、
前記高効率モードにおいては、前記給紙部から記録紙の後端が離れる時間が前前記転写装置による転写期間を外れるか否かに無関係に前記搬送路長を最も短く設定することを特徴とする前記１に記載の画像形成装置。
４．
高画質モード及び高効率モードを有し、前記制御手段は、前記高画質モードにおいては、前記給紙部から記録紙の後端が離れる時間が前前前記画像形成部における画像形成期間を外れるように、前記給紙搬送部の前記搬送路長を変更することによるタイミング制御を行い、
前記高効率モードにおいては、前記給紙部から記録紙の後端が離れる時間が前前前記画像形成部における画像形成期間を外れるか否かに無関係に前記搬送路長を最も短く設定することを特徴とする前記２に記載の画像形成装置。
５．
前記制御手段は、記録紙サイズ情報に基づいて、前記搬送路長を変更することを特徴とする前記１〜４のいずれか１項に記載の画像形成装置。
６．
前記給紙搬送部は搬送路長の異なる複数の給紙路を有し、前記搬送路長は、前記給紙路の選択により変更されることを特徴とする前記１〜５のいずれか１項に記載の画像形成装置。
７．
前記給紙搬送部は搬送路を形成する変位可能なガイド部材を有し、前記搬送路長は、前記ガイド部材の変位により変更されることを特徴とする前記１〜６のいずれか１項に記載の画像形成装置。
８．
前記給紙部は、記録紙を１枚に分離する分離手段を有し、前記給紙部から記録紙の後端が離れる前記時間は、前記分離手段から記録紙の後端が離れる時間であることを特徴とする前記１〜７のいずれか１項に記載の画像形成装置。
９．
画像形成部、給紙部、レジストローラを有する給紙搬送部及び転写装置を備え、前記給紙部から送り出された記録紙を前記給紙搬送部により前記画像形成部へと搬送し、前記画像形成部において形成されたトナー像を前記転写装置により記録紙に転写する画像形成装置において、
前記給紙搬送部の搬送路長が可変に形成されるとともに、前記画像形成部における画像形成と前記給紙搬送部における記録紙搬送とを同期させる制御手段を有し、該制御手段は、記録紙サイズ情報に基づいて、前記レジストローラによる記録紙の搬送中に記録紙の後端が前記給紙部から離れることがないように前記給紙搬送部の前記搬送路長を変更することを特徴とする画像形成装置。
１０．
高画質モード及び高効率モードを有し、前記制御手段は、前記高画質モードにおいては、前記レジストローラによる記録紙の搬送中に記録紙の後端が前記給紙部から離れることがないように前記給紙搬送部の前記搬送路長を変更し、
前記高効率モードにおいては、前記搬送路長を最も短く設定することを特徴とする前記９に記載の画像形成装置。
１１．
前記給紙搬送部は搬送路長の異なる複数の給紙路を有し、前記搬送路長は、前記給紙路の選択により変更されることを特徴とする前記９又は前記１０に記載の画像形成装置。
１２．
前記給紙搬送部は搬送路を形成する変位可能なガイド部材を有し、前記搬送路長は、前記ガイド部材の変位により変更されることを特徴とする前記９又は前記１０に記載の画像形成装置。
１３．
前記給紙部は、記録紙を１枚に分離する分離手段を有し、前記給紙部から記録紙の後端が離れる時間は、前記分離手段から記録紙の後端が離れる時間であることを特徴とする前記９〜１２のいずれか１項に記載の画像形成装置。
【発明の効果】
【００１０】
第１の本発明によれば、給紙搬送部の搬送路長を変更することにより、転写期間を避けて、記録紙後端が給紙部を離れるタイミングが設定されるので、給紙部において発生する衝撃が原因で発生する振動が画質に影響することが防止され、振動による画質低下が防止される。
【００１１】
第２の本発明によれば、給紙搬送部の搬送路長を変更することにより、画像形成部における画像形成期間を避けて、記録紙後端が給紙部を離れるタイミングが設定されるので、給紙部において発生する衝撃が原因で発生する振動が画質に影響することが防止され、振動による画質低下が防止される。
【００１２】
第３の本発明によれば、給紙部において発生する衝撃が原因でレジストローラにおいて発生する振動が画質に影響することが防止され、振動による画質低下が防止される。
【発明を実施するための最良の形態】
【００１３】
＜実施の形態１＞
本発明を図示の実施の形態に基づいて説明するが、本発明は該実施の形態に限られない。
【００１４】
図１は本発明の実施の形態に係るデジタル複写機からなる画像形成装置の概略構成を示す図である。
【００１５】
図１において、１１は導電性の基体が接地されているドラム状ほ感光体、１２はスコロトロンからなる帯電装置、１３は画像データに基づいて画素単位でドット露光を行うことにより感光体１１上に潜像を形成する露光装置、１４は一成分現像剤或いは二成分現像剤を担持し、現像領域に連続的に搬送するスリーブ１４０を有し、感光体１１上にトナー像を形成する現像装置、１５は感光体感光体１１に形成されるトナー像を記録紙Ｐに転写するコロトロンからなる転写装置、１６は転写後の記録紙Ｐを感光体１１から分離するコロトロンからなる記録紙分離装置、１７は前記記録紙Ｐが前記像担持体に巻き付くことを防止する分離爪、１８は転写処理後の前記像担持体表面を清掃するクリーニングブレード１８０を有するクリーニング装置である。
【００１６】
感光体１１、帯電装置１２、露光装置１３及び現像装置１４により画像形成部１が構成される。
【００１７】
本実施の形態における画像形成装置は、装置本体上部に画像読み取り部２を有し、画像読み取り部２において、原稿の画像を読み取って、画像信号を出力する。
【００１８】
画像読み取り部２において生成した画像信号を処理した画像データ又は外部機器（図示せず）から受信した画像データに基づいて、露光装置１３が駆動され、感光体１１の露光が行われる。
【００１９】
３は転写処理後の記録紙Ｐを定着装置に向けて搬送する搬送手段で、搬送ベルト３０と、前記搬送ベルトを懸架する駆動ローラ３１、及び、従動ローラ３２からなる。
【００２０】
４は定着装置で、加熱源を内蔵した加熱ローラ４０と、加熱ローラ４０と圧接しながら回転する加圧ローラ４１とを備えている。
【００２１】
４５は定着処理した記録紙を機外に排出する排紙ローラ、５は機外の排紙部に設けた排紙トレイである。
【００２２】
６は給紙部であり、給紙部６には、記録トレイ６０が着脱可能に設置され、給紙トレイ６０の先頭部には、収納された記録紙Ｐの上に送り出しローラ６１が接触する。
【００２３】
記録紙Ｐは給紙部６から給紙搬送部７へと搬送されるが、記録紙Ｐの搬送路に沿って、送り出しローラ６１の下流に分離ローラ６３及び捌きローラ６４からなる分離手段Ｖが配置される。分離ローラ６３は記録紙Ｐを搬送する方向に搬送するローラであり、捌きローラ６４はトルクリミッタつきで、記録紙Ｐを送り出しローラ６１の方へ戻すように回転駆動されるローラであり、分離ローラ６３とこれに圧接する捌きローラ６４とにより記録紙Ｐが１枚に分離される。
【００２４】
Ｒは給紙搬送部７の一部を形成し、感光体１１上の画像形成と同期して記録紙Ｐを転写位置に搬送するレジストローラである。
【００２５】
７は給紙部６と転写位置間における記録紙Ｐの搬送を行う給紙搬送部である。給紙搬送部７には、搬送路長の異なる給紙路７０、７１が設けられ、給紙路７０、７１はゲート７２により切り替え選択される。７３、７４はそれぞれ給紙路７０、７１に設けられた中間搬送ローラである。
【００２６】
次に、図１の画像形成装置の作動を説明する。
【００２７】
画像形成のスタートにより、不図示の駆動モータの駆動により、感光体１１は矢印で示す時計方向に回転する。
【００２８】
同時に帯電装置１２により感光体１１に対する一様な電位の付与が行われる。
【００２９】
電位が付与された後の感光体１１上には、露光装置１３による露光が行われ、感光体１１上に静電潜像が形成され、形成された静電潜像が現像装置１４により現像され、感光体１１上にトナー像が形成される。
【００３０】
一方、給紙トレイ６０内に収納されている記録紙Ｐは、送り出しローラ６０によって送り出され、記録紙分離装置Ｖにより１枚に分離され、レジストローラＲに搬送される。
【００３１】
レジストローラＲにおいて、記録紙Ｐの先頭が一時停止した後に、レジストローラＲが露光装置１３の露光開始と同期して回転を開始して、記録紙Ｐを転写位置に向けて搬送する。
【００３２】
転写装置１５により感光体１１上のトナー像が記録紙Ｐに転写され、トナー像が転写された記録紙Ｐは記録紙分離装置１６により感光体１１から分離され、定着装置４に送られる。
【００３３】
定着装置４において、トナー像が定着され、定着処理後の記録紙Ｐは排紙ローラ４５により排紙トレイ５に排出される。
【００３４】
次に、給紙搬送について、図２を用いて説明する。図２は感光体１１上における露光、給紙部６から転写位置までの記録紙搬送及び転写のタイミングを示す。
【００３５】
図２（ａ）において斜線ＬＦは記録紙先端の軌跡を示し。斜線ＬＲは記録紙後端の軌跡を示す。
【００３６】
給紙位置ＶＡは記録紙分離装置Ｖの位置を示し、ＲＳＴはレジスト位置、即ち、レジストローラＲの位置を示し、ＲＴが転写位置を示す。
【００３７】
斜線ＬＦで示すように、記録紙の先端は時間ｔｆ１ａでスタートし、ｔｆ２でレジスト位置ＲＳＴに到達して、レジスト位置ＲＳＴで一時停止後に、再スタートして時間ｔｆ３で転写位置ＴＲを通過して転写が開始する。転写位置ＴＲを記録紙の先端から後端まで通過する時間間隔ＴＹ１、ＴＹ２、ＴＹ３・・・が転写期間である。
【００３８】
一方、露光装置１３の露光は、ｔｘで開始し、露光期間ＴＸ１、ＴＸ２、ＴＸ３・・・に行われる。即ち、画像形成部１における画像形成は画像形成期間である露光期間ＴＸ１、ＴＸ２、ＴＸ３において行われる。露光期間ＴＸ１の露光により形成されたトナー像が転写期間ＴＹ１において、転写され、同様に露光期間ＴＸ２に転写期間ＴＹ２が対応する。
【００３９】
感光体１１の周面の線速と転写位置ＴＲにおける記録紙の移動速度は等しいので、ＴＸ１＝ＴＸ２＝ＴＸ３・・・・＝ＴＹ１＝ＴＹ２＝ＴＹ３である。
【００４０】
記録紙の後端は分離手段Ｖを通過する際に、分離手段Ｖを構成する分離ローラ６４及び捌きローラ６４のニップから開放されることによる衝撃が発生する。この衝撃が画像形成装置を振動させ、画像形成装置内の各部に影響を与えるが、特に、露光装置１３による露光がミクロンオーダーのドット露光であるために、衝撃による影響で濃度むらや画像変形が発生する等の画質の低下が発生し、また、転写装置ずれによる画質の低下が発生する。
【００４１】
従って、図示のように、時間ｔｘで開始する露光の露光期間ＴＸ１、ＴＸ２・・・・及びｔｆ３で開始する転写期間ＴＹ１、ＴＹ２、ＴＹ３・・・を外れるように、記録紙後端が分離手段Ｖを通過する時間ｔｒ１ａ・・・・を設定して記録紙搬送タイミングが設計される。
【００４２】
このような記録紙搬送タイミングの設定により、高画質の画像を形成することが可能となる。
【００４３】
しかるに、長い記録紙を搬送する場合には、記録紙後端が分離手段Ｖを通過する時間は図２（ｂ）に示すように、短い記録紙の場合の時間ｔｒ１ａよりも遅い時間ｔｒ１ｂとなる。長い記録紙に対しても転写の開始時間をｔｆ３に設定した場合、転写期間ＴＹ１、ＴＹ２、・・・の中に記録紙の分離手段通過時間ｔｒ１ｂが入ってしまって、分離手段Ｖの位置を記録紙後端が通過する際に発生する衝撃による影響で画質が低下することになる。
【００４４】
給紙搬送部の搬送路長を一定にして、長い記録紙の後端が分離手段Ｖを通過する時間（ｔｒ１ｂ）が転写期間ＴＹ１の外になるようにするには、画像と画像間の間隔を広くとる必要があるが、このようなタイミング制御では、画像形成効率が低下してしまう。
【００４５】
本実施の形態においては、このような画質の低下を防止するために、給紙部６からレジストローラＲまでの搬送路長を変更した。
【００４６】
即ち、長い記録紙の場合には、長い給紙路が選択され、分離手段Ｖの位置がＶＡからＶＢに変更される。
【００４７】
このような搬送路長の変更は図１における給紙路７０、７１の選択により行われる。
【００４８】
図２（ｂ）のＬＲで示すように、記録紙後端は時間ｔｒ１ｃにおいて分離手段Ｖの位置ＶＢを通過するが、図示のように時間ｔｒ１ｃは転写期間ＴＹ１の外に位置するので、記録紙後端が分離手段Ｖを離れる際に発生する衝撃による画質低下は防止される。
【００４９】
また、図２（ｂ）の例においては、記録紙後端が給紙部を離れる時間ｔｒ１ｃが露光期間ＴＸ１の外となるようにタイミングが設定されている。従って、記録紙が給紙部を離れる際の衝撃の転写及び露光への影響が防止される。
【００５０】
図２（ｃ）は露光期間ＴＸ１の中に、記録紙後端が給紙部を離れる時間ｔｒ１ｃが入るようにタイミング設定した例を示す。
【００５１】
即ち、記録紙が分離手段Ｖを離れる時間ｔｒ１ｃの前に露光が開始し、時間ｔｒ１ｃの後に露光が終了する。この例においても、時間ｔｒ１ｃは転写期間ＴＹ１を外れているので、給紙部における衝撃の転写への影響は防止されている。
【００５２】
図２（ｃ）の例では、画像形成部１１を免震構造とすることにより、画像形成における振動による画質低下を抑制することが好ましい。
【００５３】
更に、図示しないが、記録紙の後端が分離手段Ｖを離れる時間と露光期間とが重ならないようにする一方、記録紙の後端が分離手段Ｖを離れる時間と転写期間が重なるようにタイミング制御をお行うことも可能である。このようなタイミング制御においては、転写工程が給紙部６において発生する振動に対して、影響を受け難い構造に転写装置１５を構成することが好ましい。
【００５４】
このように、露光期間又は転写期間のいずれか一方を記録紙が給紙部６を離れる時間と重ならないようにすることにより、振動による画質低下を軽減し、画質が向上する。
【００５５】
図３は本発明の実施の形態における記録紙搬送の制御系のブロック図である。
【００５６】
制御手段４０は記録紙収納部６のサイズ情報出力手段からの記録紙サイズ情報に基づいて、ゲート７２（図１に示す）を駆動する駆動手段４５を制御して、給紙路７１、７２を選択する。記録紙収納部６は、ユニバーサルトレイを有し、サイズ情報出力手段は、記録紙の側端を規制する可動規制板の位置からサイズ情報を出力する。図示の例では、給紙路として７Ａ、７Ｂが設けられ、搬送路長が２段階に設定可能であるが、多段階に設定出来る用に構成することもできる。
【００５７】
画像形成の開始により制御手段４０は次のタイミング制御を行う。
１．給紙モータ４３を起動して、記録紙を記録紙収納部６から送り出す（ｔｆ１ａ又はｔｆ１ｃ）。
２．中間搬送ローラ７３、７３を駆動する中間搬送モータ４４が起動して記録紙を搬送する。
３．記録紙の先頭がレジストローラＲに到達した時点で記録紙の先頭がレジストローラＲに突き当たって停止し、ループが形成される。
４．露光装置１３による露光が、記録紙先頭がレジストローラＲに到達する前の時間ｔｘにおいてスタートする。
５．レジストローラＲが露光開始時間ｔｘに同期した時間で起動し、記録紙を転写位置ＴＲに向けて搬送する。
６．転写位置ＴＲにおいて、時間ｔｆ３からトナー像の転写が開始される。
【００５８】
図４、５は本発明の実施の形態における給紙搬送部７の他の例を示す。図４は短い給紙路を形成するときの給紙搬送部７を示し、図５は長い給紙路を形成するときの給紙搬送部７を示す。
【００５９】
図において、レジストローラＲと給紙部６との間に設けられた給紙搬送部７には、湾曲したガイド部材８１と、ガイド部材８１と所定の間隙をもって対向する湾曲したガイド部材８２が設けられ、ガイド部材８１、８２により給紙路が形成される。
【００６０】
前記両ガイド部材８１、８２の後端部（搬送方向上流側端部）は記録紙収納６のガイド部材Ｇ１が入り込むことが出来るように開いた形状に形成され、先端部（搬送方向下流側端部）は、レジストローラＲにおいて記録紙をガイドするガイド部材Ｇ２の内側に入り込む。ガイド部材Ｇ２は図示のようにガイド部材８１、８２から送り出された記録紙を円滑にガイドするように後端部が開いた形状に形成される。
【００６１】
ガイド部材８１、８２のほぼ中間位置に中間搬送ローラ８３が設けられるが、ガイド部材８１、８２及び中間搬送ローラ８３は支持枠８４により支持され、これらは一体に形成されて可動な給紙搬送部７を形成する。支持枠８４はバネ８５により付勢されてカム８６に接触する。
【００６２】
カム８６は駆動手段４５（図３に示す）により回転駆動される。
【００６３】
記録紙のサイズ情報に基づいて、制御手段４０が駆動手段４５を駆動制御して、カム８６を回転させ、ガイド部材８１、８２を図４から図５のように移動させることにより、給紙搬送部７における搬送路長が変更される。
【００６４】
このような給紙搬送部７を用いることにより、図４、５のように２段階でなく、多段階に搬送路長を変更することが可能となる。
＜実施の形態２＞
図６は実施の形態２における給紙搬送部の搬送路長を示し、図７は本実施の形態における制御のフローチャートである。
【００６５】
本実施の形態は、図１に示す全体構成を有し、図３に示す制御系を備えている。
【００６６】
分離手段Ｖを記録材Ｐが離れるときに発生する衝撃による振動は、記録紙ＰがレジストローラＲにニップされた状態で記録紙後端が分離手段Ｖから抜ける時に、特に、顕著であり、振動による画質への影響が問題となる。これは、画像形成部１における画像形成と同期して記録紙Ｐを搬送するために、レジストローラＲのニップ圧を強くして、レジストローラＲによるタイミング制御を行っているからである。
【００６７】
記録紙Ｐが他の搬送ローラ、例えば、中間搬送ローラ７３又は７４にニップされているときに、記録紙後端が分離手段Ｖを離れても、中間搬送路ローラ７３又は７４のニップ圧が比較的低いので、記録紙Ｐが中間搬送ローラ７３又は７４においてスリップすることにより吸収されて、画質に影響するような振動が発生することはない。
【００６８】
本実施の形態においては、給紙搬送部７の搬送路長ＨＬを変更することにより、種々のサイズの記録紙Ｐに対して、記録紙Ｐが分離手段ＶとレジストローラＲとに同時にニップされることがないようにした。なお、搬送路長ＨＬは分離手段ＶからレジストローラＲまでの給紙搬送部７の長さである。
【００６９】
前記に説明したように、分離手段ＶとレジストローラＲとに同時にニップされた給紙搬送が行われると、記録紙が分離手段Ｖを離れるときに生ずる振動が、レジストローラＲを介して、画像形成部１等に伝搬するので、Ａ４サイズ記録紙をその短辺を搬送方向として搬送するＡ４縦搬送のような標準モードにおいては、給紙搬送部７の搬送路長ＨＬを記録紙Ｐの長さよりも長くなるように、給紙搬送部７が設計されている。
【００７０】
このような機械でも、長い記録紙Ｐを搬送して画像形成を行うモードにおいては、記録紙Ｐが分離手段Ｖ及びレジストローラＲに同時にニップされる場合が生ずる。
【００７１】
例えば、給紙搬送部７の搬送路長ＨＬが２７０ｍｍに設計された画像形成装置では、Ａ４縦搬送においては、記録紙Ｐの搬送方向の長さが２１０ｍｍであるので、後端が抜けた後に、記録紙Ｐの先端がレジストローラＲにニップされるが、Ａ４横搬送（長辺を搬送方向とする搬送）においては、記録紙Ｐの搬送方向の長さが２９７ｍｍであるので、レジストローラＲにニップされているときに、記録紙Ｐの後端が分離手段Ｖを抜ける。従って、４ＡＲサイズの記録紙を用いた画像形成においては、レジストローラＲが振動し、この振動が装置各部に伝搬して画質を低下させる。
【００７２】
本実施の形態においては、Ａ４縦搬送においては、短い給紙路７０を用いるように給紙搬送部７を設定することにより、給紙搬送部７の搬送路長ＨＬを２７０ｍｍに設定し、Ａ４横搬送においては、長い給紙路７１を用いるように給紙搬送部７を設定することにより、給紙搬送部７にお搬送路長ＨＬを３１０ｍｍに設定した。
【００７３】
これにより、Ａ４縦搬送及びＡ４横搬送のいずれの場合にも、記録紙Ｐを後端が分離手段Ｖを抜けた後に、記録紙Ｐの先端がレジストローラＲに到達する。
【００７４】
従って、記録紙後端が分離手段Ｖを離れるときに発生する衝撃による画質の低下が防止される。
【００７５】
図７において、ＳＴＥＰ１において、記録紙サイズの読み取りが行われる。読み取りは記録紙収納部６０のサイズ情報出力手段４１からの記録紙サイズ情報を読み取ることにより行われる。
【００７６】
ＳＴＥＰ２において、記録紙長さ（搬送方向の長さ）ＰＬが給紙搬送部７の給紙路長ＨＬ以上か否かが判断され、
以上でないときは（ＳＴＥＰ２のｎｏ）、画像形成を行う（ＳＴＥＰ３）。
【００７７】
ＳＴＥＰ２の判断において、ＰＬがＨＬ以上のときは、給紙路を７０から７１に切り替え（ＳＴＥＰ６）、給紙路の切り替えの後に、給紙を行って画像を形成する（ＳＴＥＰ３）。
【００７８】
ＳＴＥＰ３の画像形成後に、給紙搬送部７が標準状態か否かを見て、標準状態であれば終了し、標準状態でないときは、給紙搬送部７の標準状態に設定して終了する（ＳＴＥＰ４、５）。
＜実施の形態３＞
図８は本実施の形態における制御のフローチャートであり、本実施の形態は、図１に示す全体構成を有し、図３に示す制御系を備えている。
【００７９】
高画質に対するニーズとともに、高効率にに対するニーズがあり、１台の機械が両ニーズを満足する機能を備えていることが望ましい。
【００８０】
本実施の形態は、このような高画質に対するニーズと高効率に対するニーズを満足させるものである。
【００８１】
高画質モードにおいては、給紙部において発生する衝撃による振動を抑制して、画像形成が行われ、高効率モードにおいては、給紙部から画像形成部に至る給紙搬送路の搬送路長を短縮することにより、給紙時間を短縮し、画像形成指令から画像形成された最初の記録紙が排出されるまでの時間、即ち、Ｆｉｒｓｔ  Ｃｏｐｙ  Ｏｕｔ  Ｔｉｍｅ（以下ＦＣＯＴと言う）を短縮して画像形成が行われる。
【００８２】
ＳＴＥＰ１０において、設定された画像形成モードの情報をユーザインターフェース４２から読み取る。
【００８３】
ＳＴＥＰ１１の判断において、高画質モードの場合には、ＳＴＥＰ１２において搬送路長の制御が行われ、ＳＴＥＰ１３において、画像形成１が行われて終了する。
【００８４】
ＳＴＥＰ１２の搬送路長制御では、実施の形態１のように、記録紙サイズに応じた給紙路の選択により搬送路長が設定される。そして、ＳＴＥＰ１３の画像形成１においては、実施の形態１のように、転写期間及び露光期間と記録紙の後端が給紙部６を離れる時間とが重ならないようなタイミング制御を行われる。また、分離手段ＶからレジストローラＲ間での距離が記録紙の長さ以上になるような搬送路長の設定が行われる。
【００８５】
ＳＴＥＰ１１の判断において、高効率モードの場合には、搬送路長の短い給紙路７０が選択され、ＳＴＥＰ１４において画像形成２が行われて終了する。
【００８６】
画像形成２においては、効率最優先の制御が行われ、給紙路７０が選択されたことにより、転写期間及び露光期間が、記録紙の後端が給紙部６を離れる時間と重なることがあっても、この重なりを回避するようなタイミング制御は行われない。
【図面の簡単な説明】
【００８７】
【図１】本発明の実施の形態に係るデジタル複写機からなる画像形成装置の概略構成を示す図である。
【図２】感光体上における露光と給紙部及び給紙搬送部における給紙搬送とのタイミングを示す図である。
【図３】本発明の実施の形態における記録紙搬送の制御系のブロック図である。
【図４】本発明の実施の形態における給紙搬送部の他の例を示す図である。
【図５】本発明の実施の形態における給紙搬送部の他の例を示す図である。
【図６】本発明の実施の形態２における給紙搬送部の搬送路長を示す図である。
【図７】本発明の実施の形態２における制御のフローチャートである。
【図８】本発明の実施の形態３における制御のフローチャートである。
【符号の説明】
【００８８】
１  画像形成部
２  画像読み取り部
３  搬送手段
４  定着装置
５  排紙トレイ
６  給紙部
７  給紙搬送部
４０  制御手段
７１、７２  給紙路
８１、８２  ガイド部材
【図１】
2008009235.tif 000003
【図２】
2008009235.tif 000004
【図３】
2008009235.tif 000005
【図４】
2008009235.tif 000006
【図５】
2008009235.tif 000007
【図６】
2008009235.tif 000008
【図７】
2008009235.tif 000009
【図８】
2008009235.tif 000010